(57)【特許請求の範囲】
【請求項１】
浴槽の下方に防水パンを設け、この防水パンの底部に浴槽内の水を外部へ排水するための排水トラップを設け、防水パンの側部には導水部を設けてなり、防水パンと隣接し別部材からなる洗い場の一側に出入口を設け、洗い場は洗い場パンにより形成されており、この出入口の下枠またはその近傍に集水部を設けてなるとともに、排水管は洗い場パンの下面に固定されて集水部から防水パンの導水部外側近傍にかけて設けられており、上記排水管の防水パン側の端部を防水パンの導水部に取付けられた排水管支持管で支持してなり、集水部と導水部とは排水管と排水管支持管とを連結した管で連通されていることを特徴とする浴室。
【発明の詳細な説明】
【０００１】
【発明の属する技術分野】
本発明は、浴室に係り、特に浴槽から水が多量に溢れたときに生じる恐れのある集水部への逆流現象を防止した浴室に関するものである。
【０００２】
【従来の技術】
浴室としては、その排水構造を改良した種々のユニットバスが提案されている（特開平９−８８１４３号公報、特開平９−３１６９５３号公報、特開平１０−８５１５１号公報等参照）。図６は、従来の浴室の一例を示している。この浴室は、浴槽２と隣接する洗い場７の一側に段差のない出入口９を備えている。すなわち、洗い場７の床面７ａと脱衣室８の床面８ａを略同一平面として出入口９の段差をなくし、いわゆるバリアフリーとされている。このようなバリアフリーの浴室においては、浴槽２から洗い場７に溢れ出た水（湯水）が脱衣室８側へ流出し易いので、これを防止する目的で、出入口９近傍の洗い場７側に集水溝（集水部）１８を設けている。
【０００３】
従来の浴室においては、集水溝１８が大きく形成されていて清掃が大変であり、また、集水溝１８の上に装着されるグレーチング３６も大きくて取扱いが大変であった。このため、出入口９の下枠に集水溝を設けることによりコンパクト化し、清掃性の向上を図ったものが提案されている。
【０００４】
一方、洗い場７には集水溝１８とは別に排水部１１が設けられ、この排水部１１には外部に排水するための排水トラップ１２が設けられている。この排水トラップ１２は、常時水を満たした水受部３７を有し、この水受部３７内に排水部１１の排水出口３８が挿入されていて、外部からの臭気が浴室内に侵入するのを防止している。また、排水トラップ１２には、水受部３７から溢れる水を外部に排水するための主排水管１３が接続されている。
【０００５】
そして、従来の浴室においては、前記集水溝１８に集水された水を排水するために、集水溝１８と排水トラップ１２との間を排水管２８で連通接続し、集水溝１８から排水トラップ１２内に排水していた。具体的には、集水溝１８から排水トラップ１２の水受部３７に向って排水管２８を連通接続していた。
【０００６】
【発明が解決しようとする課題】
しかしながら、前述したような排水構造の浴室においては、建築側の排水臭気止めのマスに浴室側からの主排水管を接続された場合、建築側と浴室側のそれぞれにトラップ機能があるため、ダブルトラップ現象（両トラップ間に溜まった空気により水が流れ難くなる現象）が発生し、浴槽排水の流れまたは浴槽からのオーバーフロー水による洗い場排水の流れが悪くなり、例えば人が浴槽に入ることにより浴槽から一度に多量の水が溢れた場合、その排水を処理しきれない場合がある。
【０００７】
このような場合、排水トラップ１２から排水管２８を介して集水溝１８側に排水が逆流する可能性があり、特に、集水溝１８が出入口９の下枠に形成されているような容量の小さいもの（ノンゲレーチング構造）である場合に、逆流した排水が集水溝１８から溢れて脱衣室８側に流出する恐れがあった。なお、万が一逆流しても問題のない高さまで、浴室の排水トラップ１２と排水溝１８の高低差をつけることにより前記問題は解決できるが、納まり上で布基礎の高さを高くしなければならないという制約条件が発生してしまう。
【０００８】
そこで、本発明は、前述した課題を解決すべくなされたものであり、浴槽から水が多量に溢れたときに生じる恐れのある洗い場の排水トラップから集水部への排水の逆流現象を防止することができる浴室を提供することを目的とするものである。
【０００９】
【課題を解決するための手段】
本発明に係る浴室は、浴槽の下方に防水パンを設け、この防水パンの底部に浴槽内の水を外部へ排水するための排水トラップを設け、防水パンの側部には導水部を設けてなり、防水パンと隣接し別部材からなる洗い場の一側に出入口を設け、洗い場は洗い場パンにより形成されており、この出入口の下枠またはその近傍に集水部を設けてなるとともに、排水管は洗い場パンの下面に固定されて集水部から防水パンの導水部外側近傍にかけて設けられており、上記排水管の防水パン側の端部を防水パンの導水部に取付けられた排水管支持管で支持してなり、集水部と導水部とは排水管と排水管支持管とを連結した管で連通されていることを特徴とする。
【００１０】
【発明の実施の形態】
以下に、本発明の実施の形態を添付図面に基いて詳述する。
【００１１】
図１に示すように、浴室１はユニットバスとして構成されている。この浴室１内には浴槽２が設けられ、この浴槽２の下方には防水パン３が設けられている。すなわち、防水パン３の上方に浴槽２を配置して、いわゆる二重パン構造とすることにより、万が一、浴槽３から水漏れが発生したとしてもこれを防水パン３により食い止めて、外部への漏水を防止することができるように構成されている。
【００１２】
前記防水パン３の底部には排水部４が設けられ、この排水部４の底部には浴槽２内の水および浴槽２から漏れた水を外部へ排水するための排水トラップ（浴槽側排水トラップともいう）５が設けられている。この浴槽側排水トラップ５は、臭気止め機能を有する既存のもの（図６参照）と同じであるため、具体的構造の説明は省略する。浴槽２の底部の排水栓口には可撓性を有する蛇腹状の浴槽排水管６が取付けられており、この浴槽排水管６の先端は前記浴槽側排水トラップ５上方の排水部４中央に導かれていて、浴槽２から排水トラップ５に直接排水し得るようになっている。
【００１３】
前記浴槽２と隣接して洗い場７が設けられており、この洗い場７の一側には脱衣室８と連通する段差のない出入口９が設けられている。この洗い場７は、洗い場パン１０により形成されており、前記防水パン３の一側に隣接して水密に接合されている。洗い場７の床面７ａは、防水パン３の底面よりも高い位置に設定されている。洗い場７の浴槽側近傍には、図２にも示すように、排水部１１が設けられており、この排水部１１の底部には浴槽２から溢れた水や洗い場７で使用した水を外部へ排水するための排水トラップ（洗い場側排水トラップともいう）１２が設けられている。
【００１４】
この洗い場側排水トラップ１２も既存のもの（図６参照）と同じであるため、具体的構造の説明は省略する。前記洗い場７の床面７ａは、排水部１１に水が流れるように排水部１１に向ってやや下り傾斜に形成されている。洗い場７の床面７ａ、脱衣室８の床面８ａおよび出入口９の下枠１５ａ上面は、ほぼ同一平面とされ、段差のないバリアフリーに構成されている。
【００１５】
洗い場側排水トラップ１２は、浴槽側排水トラップ５よりも高い位置に設定されている。洗い場側排水トラップ１２には外部へ排水するための主排水管１３が接続されており、この主排水管１３には浴槽側排水トラップ５の主排水管１４が合流するように接続されている。洗い場側排水トラップ１２は、主排水管１３を介して建築側の排水トラップ（図示省略）に接続されている場合もある。
【００１６】
一方、前記浴室１の出入口（開口部）９には、図２、図４に示すように、上枠（図示省略）、下枠１５ａおよび左右の縦枠１５ｂからなる開口枠例えばドア枠１５が設けられ、このドア枠１５にはドア１６がヒンジを介して開閉可能に取付けられている。下枠１５ａには、浴槽２から洗い場７側に多量の水が溢れた場合に、出入口９側へ向う水を脱衣室８側へ流れ出ないように集水して排水するための集水部である集水溝１８が設けられている。この場合、下枠１５ａは、集水溝１８を有するように上部が開放された溝状に形成されていることが好ましい。この排水溝１８は、前記防水パン３の底面よりも高い位置に設定されている。
【００１７】
そして、前記集水溝１８に集水された水を前記防水パン３内に排水するために、図１ないし図２に示すように、集水溝１８と防水パン３とが排水管２８で連通接続されている。排水管２８は、排水性をよくするために、排水溝１８側から防水パン３に向って下り傾斜に配管することが好ましい。
【００１８】
なお、前記防水パン３および洗い場パン１０は、基礎３３上に支持台３４を介して設置される。そして、防水パン３および洗い場パン１０の周縁部３ａ，１０ａにこれらを取囲むように壁パネル３５が建付けられ、壁パネル３５の上方に天井パネル（図示省略）が取付けられて浴室１が構成される。本実施の形態における浴室１は、基礎３３から洗い場７の床面７ａまでの高さを低く設定し、布基礎の低い建築現場にも適用可能な低床構造とされている。
【００１９】
以上の構成からなる浴室１は、浴槽２の下方に防水パン３を設け、この防水パン３の底部に浴槽２内の水を外部へ排水するための排水トラップ５を設け、浴槽２と隣接する洗い場７の一側に段差のない出入口９を設け、この出入口９の下枠１５ａに集水溝１８を設けた浴室において、この集水溝１８に集水された水を前記防水パン３内に排水するために集水溝１８と防水パン３とを排水管２８及び排水管支持管３９とで連通接続している。このため、湯水を満たした浴槽２に入浴することにより多量の湯水が浴槽２から洗い場７に溢れ出たとしても、その水は主として洗い場７の排水部１１から洗い場側排水トラップ１２を介して外部へ排水され、また、出入口９の集水溝１８に至って集水された水は排水管２８、排水管支持管３９及び方向変換部材３２を介して防水パン３内に排水されることになる。
【００２０】
このため、仮に洗い場７側の排水トラップ１２が建築側の排水臭気止めのマスと合わせてダブルトラップを構成していて、浴槽２から溢れた多量の水をスムースに排水処理しきれない状態が一時的に発生したとしても、洗い場側排水トラップ１２から直接前記集水溝１８側に排水が逆流することはない。すなわち、浴槽２から水が多量に溢れたときに生じる恐れのある洗い場７の排水トラップ１２から集水溝１８への排水の逆流現象を防止することができる。
【００２１】
また、集水溝１８から排水管２８及び排水管支持管３９が防水パン３の排水トラップ５よりも上方の側面３ｂに連通接続されているので、たとえ洗い場側排水トラップ１２の主排水管１３から浴槽側排水トラップ５側へ排水が逆流したとしても、防水パン３の容量が大きいことから、防水パン３から更に排水管２８及び排水管支持管３９を介して集水溝１８側へ排水が逆流するようなことは殆どありえない。また、前記集水溝１８は、浴室出入口９の下枠１５ａに一体形成されていてコンパクトであり、下枠近傍の洗い場側にグレーチング付排水溝を有するもの（図６参照）よりも清掃性が非常によい。
【００２２】
本発明は、排水溝への排水の逆流を防止できるため、前記実施の形態のように下枠自体に集水部を備えた構造（排水部が小容量）である場合において、下枠近傍の洗い場側に大容量のグレーチング付排水溝を有するものに比べて特に有効である。また、洗い場の排水トラップ１２と排水溝１８の高低差を考慮する必要がないため、布基礎が低い建築現場のように洗い場７の下方にスペースがない場合でも、洗い場７の排水トラップ１２から排水溝１８への排水の逆流現象を防止することができるバスルームを提供することができる。
【００２３】
本実施例では図１乃至図３に示すように集水部１８と導水部３１とは排水管２８と排水管支持管３９とを連結した管で連通されている。排水管２８はパイプと管継手（エルボ）が組み合わされて形成されており、排水管支持管３９は図５（ａ）、図５（ｂ）に示されるように、排水管２８をつかまえる為の先が拡がった部分と排水管２８を角度をかえずに保持する直管形状の部分からなる保持部３９ａ、鍔状の塞ぎ部３９ｂ、方向変換部材（エルボ）３２を支持する方向変換部材支持部３９ｃからなっている。そして洗い場パン１０を施工し次に防水パン３を施工する工程において排水管２８と排水管支持管３９は下記の手順で施工される。まず洗い場パン１０を設置する前に集水溝１８に排水管２８の一端を接続しておく。具体的には、例えば図４に示すように、下枠１５ａの下面に集水溝１８と連通する排水口２９を設け、この排水口２９に管継手（エルボ）３０を介して排水管２８の一端を接続してなされる。排水管２８は洗い場パン１０の下面に取付けられた複数の吊金具（図示せず）で位置が固定される。そして排水管２８の接続された洗い場パン１０を設置し、その次に防水パン３を設置する。その際に排水管２８の他端は防水パン３の側部３ｂに設けられた孔形状の導水部３１外側近傍にかけて設けられており、防水パン３の内側から排水管支持管３９を孔形状の導水部３１を通して排水管２８と連結して下枠下方の集水部１８と防水パン３に設けられた導水部３１とを連通させる。
【００２４】
このように、洗い場パン１０と防水パン３とが別体であって、洗い場パン１０を施工した後に防水パン３を施工する浴室において、防水パン３を下方におろしながら施工する際に防水パン３の側部３ｂの外面が導水部３１よりも下方の範囲において、排水管２８の防水パン３側の端部と強くこすれあうことがないように、排水管２８の他端は上記の範囲において上から見て防水パン３の側部３ｂに設けられた孔形状の導水部３１迄は達しない寸法に設定してあるため、防水パン３施工時に排水管２８の防水パン３側の端部の向きを変えたり、すりへらしたりすることがない。また、排水管２８自体または排水管２８と集水部１８との連結部分を変形させることがない。また防水パン３自体を落ち着いておろせるので施工性がよい。なお、本実施例では防水パン３の側部３ｂの外面は導水部３１よりも上方の範囲においても上から見て排水管２８の端部とは重ならないが、その範囲では排水管２８の端部とは重なる範囲までせりだしていても、施工時には排水管２８の端部とこすれあうことはない。
【００２５】
排水管２８の他端に排水管支持管３９を取付けるには、予め排水管支持管３９の排水管２８側に設けられた保持部３９ａまたは排水管２８の排水管支持管３９側の前記保持部３９ａの対向面の少なくともいずれか一方に接着剤を塗布しておき、排水管支持管３９の保持部３９ａを防水パン３の内側から側部３ｂに形成された孔形状の導水部３１を通して外側に出して塞ぎ部３９ｂ側の管内から覗きながら排水管支持管３９の保持部３９ａを排水管２８の端部に嵌合して連結する。その為に孔形状の導水部３１は排水管支持管３９の保持部３９ａの外形を含む大きさに形成されている。
【００２６】
排水管支持管３９の塞ぎ部３９ｂとそれに対向する防水パン３の側部３ｂとはネジ、専用金具のような固着具で固定されている。排水管支持管３９の塞ぎ部３９ｂとそれに対向する防水パン３の側部３ｂ間には水密部材（図示せず）が介装されており、さらにシリコン（図示せず）を塗布することにより導水部３１から防水パン３外への水漏れを防止している。その後、所定の時間が経過することにより前述の排水管２８と排水管支持管３９間の接着剤が乾いて、排水が排水管２８と排水管支持管３９との連結箇所から漏れないようになる。
【００２７】
このように、上述した手順で施工できるので、防水パン３の側部３ｂには孔形状の導水部３１以外に特に排水管を連結する為の点検口を設けなくてもＢＲ室内（防水パン３内側）から排水管支持管３９と排水管２８との連結を可能にしている。
【００２８】
排水管支持管３９の防水パン３側の口には方向変換部材３２が連結されている。これにより、排水が排水管支持管３９から強くふきだしても、また、導水部３１と排水部４の位置が離れていても、排水が防水パンの排水部から遠いところまで広がることがないので、排水中に含まれる毛髪、あか等が防水パンの広い範囲を汚すことがない。浴槽２は上記の作業終了後に防水パン３の上方に施工される。
【００２９】
以上、本発明の実施の形態を図面により詳述してきたが、本発明は前記実施の形態に限定されるものではなく、本発明の要旨を逸脱しない範囲での種々の設計変更等が可能である。例えば、浴室の出入口（開口部）に開閉可能に設けられる建具としては、ドア以外に、引戸等であってもよい。浴室の出入口に設けられる集水部（集水溝）としては、出入口の下枠に設けられていることが好ましいが、図６に示した従来の浴室のように、出入口の下枠近傍の洗い場側に設けられていてもよい。また、排水管支持管３９が排水管２８をつつんで保持するものだけではなく、排水管２８が排水管支持管３９をつつんで保持するものであってもよい。
【００３０】
【発明の効果】
以上要するに本発明に係る浴室によれば、浴槽の下方に防水パンを設け、この防水パンの底部に浴槽内の水を外部へ排水するための排水トラップを設け、防水パンの側部には導水部を設けてなり、防水パンと隣接し別部材からなる洗い場の一側に出入口を設け、この出入口の下枠またはその近傍に集水部を設けてなるとともに、排水管は集水部から防水パンの導水部外側近傍にかけて設けられており、上記排水管の防水パン側の端部を防水パンの導水部に取付けられた排水管支持管で支持してなることにより、防水パン施工時に排水管の防水パン側の端部と防水パンとが強くこすれあうことがない。
【図面の簡単な説明】
【図１】本発明の実施の形態を示す浴室の断面図である。
【図２】図１の浴室の平面図である。
【図３】図１のＥ部の詳細を示す拡大断面図である。
【図４】洗い場の一側にドア枠の下枠を取付けた状態を示す断面図である。
【図５】（ａ）は排水管支持管を防水パン側から見た図である。
（ｂ）は排水管支持管の側面図である。
【図６】従来の浴室の一例を示す断面図である。
【符号の説明】
１  浴室
２  浴槽
３  防水パン
３ａ  防水パンの底部
３ｂ  防水パンの側部
５  排水トラップ
７  洗い場
９  出入口
１５ａ    出入口の下枠
１８  集水溝（集水部）
２８  排水管
３１  導水部
３９  排水管支持管
【図１】
0003576026.tif 000002
【図２】
0003576026.tif 000003
【図３】
0003576026.tif 000004
【図４】
0003576026.tif 000005
【図５】
0003576026.tif 000006
【図６】
0003576026.tif 000007